【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
第１の基地局の第１のセルおよび第２の基地局の第２のセルとのコンカレント接続を確立することと、
前記ＵＥが時間期間のあいだ前記第１のセルに関する電力制限状態にあると決定することと、
前記ＵＥが前記時間期間のあいだ前記第２のセルに関する電力制限状態にないと決定することと、
前記ＵＥが前記時間期間のあいだ前記第２のセルに関する前記電力制限状態にないという前記決定に少なくとも部分的に基づいて、前記第２のセル上の前記第２の基地局にサウンディング基準信号（ＳＲＳ）を送信することと、
前記第１のセルへの割振りのために余剰電力を借用すべきかどうかを決めることと
を備える、方法。
【請求項２】
前記ＵＥが前記第１のセルに関する前記電力制限状態にあるという前記決定に基づいて、前記第１のセルのためのＳＲＳ送信をドロップすること、
をさらに備える、請求項１に記載の方法。
【請求項３】
前記ＵＥが前記第１のセルに関する前記電力制限状態にあるという前記決定に基づいて、前記第１のセルのための送信電力をスケーリングすること、
をさらに備える、請求項１に記載の方法。
【請求項４】
前記ＵＥが前記電力制限状態にあると決定することが、
シンボル期間のあいだ重複チャネルを分析することを備え、前記シンボル期間が前記時間期間を備える、
請求項１に記載の方法。
【請求項５】
前記余剰電力の量が前記第１のセルに関する前記電力制限状態を克服するのに十分であると決定することと、
前記余剰電力の前記量が前記第１のセルに関する前記電力制限状態を克服するのに十分であるという前記決定に基づいて、前記時間期間において前記第１のセル上の前記第１の基地局にＳＲＳを送信することと、
をさらに備える、請求項１に記載の方法。
【請求項６】
前記余剰電力の量が前記第１のセルに関する前記電力制限状態を克服するのに不十分であると決定することと、
前記余剰電力の前記量が前記第１のセルに関する前記電力制限状態を克服するのに不十分であるという前記決定に基づいて、前記時間期間において前記第１の基地局へのＳＲＳ送信をドロップまたはスケーリングすることと、
をさらに備える、請求項１に記載の方法。
【請求項７】
前記第１のセルが第１のタイミング調整グループ（ＴＡＧ）中にあり、前記第２のセルが第２のＴＡＧ中にある、請求項１に記載の方法。
【請求項８】
前記第１の基地局がマスタ基地局であり、前記第２の基地局が２次基地局である、請求項１に記載の方法。
【請求項９】
ユーザ機器（ＵＥ）におけるワイヤレス通信の方法であって、
第１の基地局の第１のセルおよび第２の基地局の第２のセルとのコンカレント接続を確立することと、
時間期間中の前記第１のセルのための第１のスケジューリングされた送信と前記時間期間中の前記第２のセルのための第２のスケジューリングされた送信とを識別することと、
前記第１のスケジューリングされた送信または前記第２のスケジューリングされた送信に少なくとも部分的に基づいて、前記第１のセルまたは前記第２のセルが前記時間期間のあいだ電力制限状態にあると決定することと、
電力制限状態にあるセルへの割り振りのために、電力制限状態にないセルのための余剰電力を借用するべきかどうかを決めることと
を備える、方法。
【請求項１０】
前記電力制限状態に基づいてＳＲＳ送信をドロップすること、
をさらに備える、請求項９に記載の方法。
【請求項１１】
前記電力制限状態に基づいて、前記第１のセルのための送信電力と前記第２のセルのための送信電力とをスケーリングすること、ここにおいて、前記第１のセルのための前記送信電力および前記第２のセルのための前記送信電力が同じ値だけスケーリングされる、
をさらに備える、請求項９に記載の方法。
【請求項１２】
前記第１のセルまたは前記第２のセルが前記電力制限状態にあると決定することが、
シンボル期間のあいだ重複チャネルを分析すること、ここにおいて、前記シンボル期間が前記時間期間を備える、
を備える、請求項９に記載の方法。
【請求項１３】
前記第１のセルが第１のタイミング調整グループ（ＴＡＧ）中にあり、前記第２のセルが第２のＴＡＧ中にある、請求項９に記載の方法。
【請求項１４】
前記第１の基地局がマスタ基地局であり、前記第２の基地局が２次基地局である、請求項９に記載の方法。
【請求項１５】
ユーザ機器（ＵＥ）におけるワイヤレス通信のための装置であって、
請求項１乃至１４のいずれか１項に記載のステップを実行するようにアレンジされる手段を備える、
装置。
【手続補正２】
【補正対象書類名】明細書
【補正対象項目名】０１１６
【補正方法】変更
【補正の内容】
【０１１６】
[0130]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、上記の説明では、例としてＬＴＥシステムについて説明し、本明細書の説明の大部分においてＬＴＥ用語が使用されるが、本技法はＬＴＥ適用例以外に適用可能である。
以下に、本願出願の当初の特許請求の範囲に記載された発明を付記する。
［Ｃ１］
ユーザ機器（ＵＥ）におけるワイヤレス通信の方法であって、
第１の基地局の第１のセルおよび第２の基地局の第２のセルとのコンカレント接続を確立することと、
前記ＵＥが時間期間のあいだ前記第１のセルに関する電力制限状態にあると決定することと、
前記ＵＥが前記時間期間のあいだ前記第２のセルに関する電力制限状態にないと決定することと、
前記ＵＥが前記時間期間のあいだ前記第２のセルに関する前記電力制限状態にないという前記決定に少なくとも部分的に基づいて、前記第２のセル上の前記第２の基地局にサウンディング基準信号（ＳＲＳ）を送信することと、
を備える、方法。
［Ｃ２］
前記ＵＥが前記第１のセルに関する前記電力制限状態にあるという前記決定に基づいて、前記第１のセルのためのＳＲＳ送信をドロップすること、
をさらに備える、［Ｃ１］に記載の方法。
［Ｃ３］
前記ＵＥが前記第１のセルに関する前記電力制限状態にあるという前記決定に基づいて、前記第１のセルのための送信電力をスケーリングすること、
をさらに備える、［Ｃ１］に記載の方法。
［Ｃ４］
前記ＵＥが前記電力制限状態にあると決定することが、
シンボル期間のあいだ重複チャネルを分析すること、ここにおいて、前記シンボル期間が前記時間期間を備える、
を備える、［Ｃ１］に記載の方法。
［Ｃ５］
前記第１のセルへの割振りのために余剰電力を借用すべきかどうかを決めること、
をさらに備える、［Ｃ１］に記載の方法。
［Ｃ６］
前記余剰電力の量が前記第１のセルに関する前記電力制限状態を克服するのに十分であると決定することと、
前記余剰電力の前記量が前記第１のセルに関する前記電力制限状態を克服するのに十分であるという前記決定に基づいて、前記時間期間において前記第１のセル上の前記第１の基地局にＳＲＳを送信することと、
をさらに備える、［Ｃ５］に記載の方法。
［Ｃ７］
前記余剰電力の量が前記第１のセルに関する前記電力制限状態を克服するのに不十分であると決定することと、
前記余剰電力の前記量が前記第１のセルに関する前記電力制限状態を克服するのに不十分であるという前記決定に基づいて、前記時間期間において前記第１の基地局へのＳＲＳ送信をドロップまたはスケーリングすることと、
をさらに備える、［Ｃ５］に記載の方法。
［Ｃ８］
前記第１のセルが第１のタイミング調整グループ（ＴＡＧ）中にあり、前記第２のセルが第２のＴＡＧ中にある、［Ｃ１］に記載の方法。
［Ｃ９］
前記第１の基地局がマスタ基地局であり、前記第２の基地局が２次基地局である、［Ｃ１］に記載の方法。
［Ｃ１０］
ユーザ機器（ＵＥ）におけるワイヤレス通信の方法であって、
第１の基地局の第１のセルおよび第２の基地局の第２のセルとのコンカレント接続を確立することと、
時間期間中の前記第１のセルのための第１のスケジューリングされた送信と前記時間期間中の前記第２のセルのための第２のスケジューリングされた送信とを識別することと、
前記第１のスケジューリングされた送信または前記第２のスケジューリングされた送信に少なくとも部分的に基づいて、前記第１のセルまたは前記第２のセルが前記時間期間のあいだ電力制限状態にあると決定することと、
を備える、方法。
［Ｃ１１］
前記電力制限状態に基づいてＳＲＳ送信をドロップすること、
をさらに備える、［Ｃ１０］に記載の方法。
［Ｃ１２］
前記電力制限状態に基づいて、前記第１のセルのための送信電力と前記第２のセルのための送信電力とをスケーリングすること、ここにおいて、前記第１のセルのための前記送信電力および前記第２のセルのための前記送信電力が同じ値だけスケーリングされる、
をさらに備える、［Ｃ１０］に記載の方法。
［Ｃ１３］
前記第１のセルまたは前記第２のセルが前記電力制限状態にあると決定することが、
シンボル期間のあいだ重複チャネルを分析すること、ここにおいて、前記シンボル期間が前記時間期間を備える、
を備える、［Ｃ１０］に記載の方法。
［Ｃ１４］
前記第１のセルが第１のタイミング調整グループ（ＴＡＧ）中にあり、前記第２のセルが第２のＴＡＧ中にある、［Ｃ１０］に記載の方法。
［Ｃ１５］
前記第１の基地局がマスタ基地局であり、前記第２の基地局が２次基地局である、［Ｃ１０］に記載の方法。
［Ｃ１６］
ユーザ機器（ＵＥ）におけるワイヤレス通信のための装置であって、
第１の基地局の第１のセルおよび第２の基地局の第２のセルとのコンカレント接続を確立するための手段と、
前記ＵＥが時間期間のあいだ前記第１のセルに関する電力制限状態にあると決定するための手段と、
前記ＵＥが前記時間期間のあいだ前記第２のセルに関する電力制限状態にないと決定するための手段と、
前記ＵＥが前記時間期間のあいだ前記第２のセルに関する前記電力制限状態にないという前記決定に少なくとも部分的に基づいて、前記第２のセル上の前記第２の基地局にサウンディング基準信号（ＳＲＳ）を送信するための手段と、
を備える、装置。
［Ｃ１７］
前記ＵＥが前記第１のセルに関する前記電力制限状態にあるという前記決定に基づいて、前記第１のセルのためのＳＲＳ送信をドロップするための手段
をさらに備える、［Ｃ１６］に記載の装置。
［Ｃ１８］
前記ＵＥが前記第１のセルに関する前記電力制限状態にあるという前記決定に基づいて、前記第１のセルのための送信電力をスケーリングするための手段
をさらに備える、［Ｃ１６］に記載の装置。
［Ｃ１９］
前記ＵＥが前記電力制限状態にあると決定するための前記手段が、
シンボル期間のあいだ重複チャネルを分析するための手段、ここにおいて、前記シンボル期間が前記時間期間を備える、
を備える、［Ｃ１６］に記載の装置。
［Ｃ２０］
前記第１のセルへの割振りのために余剰電力を借用すべきかどうかを決めるための手段
をさらに備える、［Ｃ１６］に記載の装置。
［Ｃ２１］
前記余剰電力の量が前記第１のセルに関する前記電力制限状態を克服するのに十分であると決定するための手段と、
前記余剰電力の前記量が前記第１のセルに関する前記電力制限状態を克服するのに十分であるという前記決定に基づいて、前記時間期間において前記第１のセル上の前記第１の基地局にＳＲＳを送信するための手段と、
をさらに備える、［Ｃ２０］に記載の装置。
［Ｃ２２］
前記余剰電力の量が前記第１のセルに関する前記電力制限状態を克服するのに不十分であると決定するための手段と、
前記余剰電力の前記量が前記第１のセルに関する前記電力制限状態を克服するのに不十分であるという前記決定に基づいて、前記時間期間において前記第１の基地局へのＳＲＳ送信をドロップまたはスケーリングするための手段と
をさらに備える、［Ｃ２０］に記載の装置。
［Ｃ２３］
前記第１のセルが第１のタイミング調整グループ（ＴＡＧ）中にあり、前記第２のセルが第２のＴＡＧ中にある、［Ｃ１６］に記載の装置。
［Ｃ２４］
前記第１の基地局がマスタ基地局であり、前記第２の基地局が２次基地局である、［Ｃ１６］に記載の装置。
［Ｃ２５］
ユーザ機器（ＵＥ）におけるワイヤレス通信のための装置であって、
第１の基地局の第１のセルおよび第２の基地局の第２のセルとのコンカレント接続を確立するための手段と、
時間期間中の前記第１のセルのための第１のスケジューリングされた送信と前記時間期間中の前記第２のセルのための第２のスケジューリングされた送信とを識別するための手段と、
前記第１のスケジューリングされた送信または前記第２のスケジューリングされた送信に少なくとも部分的に基づいて、前記第１のセルまたは前記第２のセルが前記時間期間のあいだ電力制限状態にあると決定するための手段と、
を備える、装置。
［Ｃ２６］
前記電力制限状態に基づいてＳＲＳ送信をドロップするための手段、
をさらに備える、［Ｃ２５］に記載の装置。
［Ｃ２７］
前記電力制限状態に基づいて、前記第１のセルのための送信電力と前記第２のセルのための送信電力とをスケーリングするための手段、ここにおいて、前記第１のセルのための前記送信電力および前記第２のセルのための前記送信電力が同じ値だけスケーリングされる、
をさらに備える、［Ｃ２５］に記載の装置。
［Ｃ２８］
前記第１のセルまたは前記第２のセルが電力制限状態にあると決定するための前記手段が、
シンボル期間のあいだ重複チャネルを分析するための手段、ここにおいて、前記シンボル期間が前記時間期間を備える、
を備える、［Ｃ２５］に記載の装置。
［Ｃ２９］
前記第１のセルが第１のタイミング調整グループ（ＴＡＧ）中にあり、前記第２のセルが第２のＴＡＧ中にある、［Ｃ２５］に記載の装置。
［Ｃ３０］
前記第１の基地局がマスタ基地局であり、前記第２の基地局が２次基地局である、［Ｃ２５］に記載の装置。